【事件の表示】
　平成　９年特許願第２２５７９８号「パチンコ機」拒絶査定に対する審判事件［平成１０年　３月１０日出願公開、特開平１０−　６６７６３］について、次のとおり審決する。
【結　論】
　本件審判の請求は、成り立たない。
【理　由】
１．手続の経緯・本願発明　　　　　　　　　　　　　　　　　　　　　
　本願は、平成７年１０月２６日に出願した特願平７−３０３４７７号の一部を平成９年８月６日に新たな特許出願としたものであって、その請求項１に係る発明は、平成１４年４月１７日付けの手続補正書によって補正された明細書及び図面の記載からみて、その特許請求の範囲の請求項１に記載された事項により特定される次のとおりのものと認める。（以下、「本願発明」という。）
 「複数の点灯手段を遊技盤に配設し、前記点灯手段が予め設定の点灯状態になると、遊技者にとって有利となる特別遊技状態を生起するパチンコ機であって、
　遊技盤には、前記複数の点灯手段の外周であって、且つ、それら複数の点灯手段に対応して、点灯手段の大きさに比して遊技者が認識できる極めて大きな絵柄が描かれてあり、
　前記複数の点灯手段には再スタート点灯手段を含み、順次、点灯消滅をしながら進行する点灯手段が再スタート点灯手段で停止すると、再度、点灯手段が点灯消滅を繰返しながら進行することを特徴とするパチンコ機。」
　　　　　　　　　　　　　　　　　　　　　　　　　　　　　　　　　
２．当審の拒絶理由
　一方、当審において平成１４年２月１８日付けで通知した拒絶の理由の概要は、本願発明は、本願の出願前に頒布された下記の刊行物１ないし刊行物３に記載された発明に基いて当業者が容易に発明をすることができたものであるから、特許法第２９条第２項の規定により特許を受けることができない、というものである。　　　　　　　　　　　　　　　　　　　　　　　　
　　　　　　　　　　　　　　　　記
刊行物１：特開平５−１１５５９５号公報
刊行物２：実願昭５６−１１５５５９号（実開昭５８−２２１７８号）の願　　　　　書に添付した明細書及び図面の内容を撮影したマイクロフィルム　　　　　　）　　　　　　　　　　　　　　　　　　　　　　　　　　
刊行物３：実願昭６１−８８５０４号（実開昭６２−２００３７７号）の願　　　　　書に添付した明細書及び図面の内容を撮影したマイクロフィルム　　　　　　）　　　　　　　　　　　　　　　　　　　　　　　　　　
　　　　　　　　　　　　　　　　　　　　　　　　　　　　　　　　　
３．引用刊行物に記載の発明
　刊行物１ないし刊行物３には、以下の発明が記載されている。
刊行物１：特開平５−１１５５９５号公報
「パチンコ遊技機１０の前面パネル１１の盤上には・・・環状に複数の点灯表示部材が配置されてなり、セーフ孔への入賞球検出出力に応じて順次点灯表示部材を点灯させることよって回動点滅表示する・・・回動点滅表示装置・・・４０が配設されている。」（第２頁第２欄第１６−２４行）、
「回動点滅表示装置４０は、複数の発光ダイオード（点灯表示部材）４１１、４１２…、４１ｎ(ｎは自然数）を環状に配置してなる回動点滅表示灯４１と、各発光ダイオード４１１、４１２、…、４１ｎに対応して配置された各種類の識別情報・・・を表す表示器４２とからなる。・・・回動点滅表示灯４１に含まれる各発光ダイオード４１１，４１２、…４１ｎを順次点滅させることによって、点灯している発光ダイオードが回動するように表示し」（第３頁第４欄第２４−３３行）、
「入賞玉に応じて回動点滅表示灯４１に含まれる各発光ダイオード４１１、４１２、…、４１ｎを順次点滅表示させることによって点灯している発光ダイオードが回動するように表示させ、停止したときに表示されている表示灯に対応する表示器が、予め設定されている場合のみその表示器に対応する数のヤクモノを開成制御するようにすることもできる。」（第４頁第５欄第１８−２４行）、の各記載より、刊行物１には、
「前面パネルの盤上に、複数の発光ダイオード（点灯表示部材）を環状に配置してなる回動点滅表示灯と、各発光ダイオードに対応して配置された各種類の識別情報を表す表示器とからなる回動点滅表示装置が配設されており、入賞玉に応じて回動点滅表示灯に含まれる各発光ダイオードを順次点滅表示させることによって点灯している発光ダイオードが回動するように表示させ、停止したときに表示されている表示灯に対応する表示器が、予め設定されている場合のみその表示器に対応する数のヤクモノを開成制御する、パチンコ遊技機。」（以下、「引用発明１」という）が記載されている。また引用発明１において、刊行物１の特に図４の記載より、各発光ダイオードに対応して配置された各種類の識別情報は、各発光ダイオードの大きさに比して相対的に大きく、また遊技者が認識できる大きさであることが明らかである。
刊行物２：実願昭５６−１１５５５９号（実開昭５８−２２１７８号）の願　　　　　書に添付した明細書及び図面の内容を撮影したマイクロフィルム　　　　　　）
「盤面１に設けられたサークル２内に、・・・球が入る複数のホール４をあけ・・・てなる既存の任意構成のパチンコ遊戯機において、各ホール４に任意の勝敗関係・・・を表わす表示６・・・を付し、また盤面１の任意の位置に、同じく勝敗を表わす表示８とランプ９を設ける」（第１頁第５行−１２行）、
「７は表示６に近接して設けたランプを示し、例えば、点灯したランプ９の表示８・・・に対し、勝の関係にある表示６・・・のランプ７を点灯するものとすれば、遊戯者にその時に点灯しているランプ９と勝関係にあるホール４の位置を即座に知らせ得る。従って、該ランプ７も、設定時間毎にランダムに１個宛点灯するランプ９との勝敗関係に応じて、同じくランダムに点灯するものである。」（第４頁第１７行−第５頁第５行）、の各記載より、刊行物２には、
「盤面１に設けられたサークル２内に、球が入る複数のホール４をあけ、各ホール４に任意の勝敗関係を表わす表示６を付すと共に、該表示６に近接してランプ７を設け、また盤面１の任意の位置に、同じく勝敗を表わす表示８とランプ９を設け、設定時間毎にランダムに１個宛点灯するランプ９との勝敗関係に応じて、ランプ７もランダムに点灯するようにし、点灯したランプ９の表示８に対し、勝の関係にある表示６のランプ７を点灯して、遊戯者にその時に点灯しているランプ９と勝関係にあるホール４の位置を即座に知らせる、パチンコ遊戯機。」が記載されている。
刊行物３：実願昭６１−８８５０４号（実開昭６２−２００３７７号）の願　　　　　書に添付した明細書及び図面の内容を撮影したマイクロフィルム　　　　　　）
「始動口への打球の入賞に関連して表示ゲームを行なう可変表示装置と、この可変表示装置によるゲーム結果に基づき打球の受入れ状態を変換できる変動入賞装置を備えたパチンコ機」（第１頁第６−９行）、
「可変表示装置５は、・・・遊技盤１の前方より中央に埋設されるセンターケース１６と、このセンターケース１６内に収納された円盤型の可動表示部材１７を備える」（第５頁第３−６行）、
「可動表示部材１７の表面には・・・数字を環状に配列し、各数字の下に夫々のランプ等の数字照明用発光体３４１…が臨む環状なルーレット表示部３４と、その中央に位置する７セグメント表示のデジタル表示部３５を配設する。」（第６頁第１４−１９行）、
「ルーレット表示部３４にあっては、その数字照明用発光体３４１…を・・・順次移動点滅させ、ルーレット表示部３４の表示態様をルーレット状に移動表示する。」（第１１頁第１７−末行）、
「例えば、ルーレット表示部３４に数字の「３」，「３」が揃って、デジタル表示部３５に数字の「３」が表示されたならば、変動入賞装置７の打球の受入れ状態を遊技者に有利な状態に変換する特別利益遊技に移行する。」（第１４頁第１８行−第１５頁第３行）、の各記載より、刊行物３には、
「遊技盤には、始動口への打球の入賞に関連して表示ゲームを行なう可変表示装置と、この可変表示装置によるゲーム結果に基づき打球の受入れ状態を変換できる変動入賞装置を備えたパチンコ機であって、可変表示装置は可動表示部材を備えており、可動表示部材の表面には数字を環状に配列し、各数字の下に夫々のランプ等の数字照明用発光体が臨む環状なルーレット表示部とその中央に位置する７セグメント表示のデジタル表示部を配設し、数字照明用発光体を順次移動点滅させ、ルーレット表示部の表示態様をルーレット状に移動表示し、該ルーレット表示部に数字の「３」，「３」が揃って、デジタル表示部に数字の「３」が表示されたならば、変動入賞装置の打球の受入れ状態を遊技者に有利な状態に変換する特別利益遊技に移行する、パチンコ機。」が記載されている。
　　　　　　　　　　　　　　　　　　　　　　　　　　　　　　　　　
４．対比
　本願発明と引用発明１とを対比すると、
引用発明１の「複数の発光ダイオード」、「前面パネル」、「表示灯に対応する表示器が、予め設定されている場合」、「パチンコ機」及び「識別情報」は、本願発明の「複数の点灯手段」、「遊技盤」、「点灯手段が予め設定の点灯状態」、「パチンコ機」及び「絵柄」に、それぞれ対応している。また引用発明１の、「回動点滅表示灯に表示されている表示灯に対応する表示器が、予め設定されている場合のみその表示器に対応する数のヤクモノを開成制御する」における「ヤクモノ」が「開成制御」された状態は、「遊技者にとって有利な状態」である点で本願発明の「遊技者にとって有利となる特別遊技状態」と共通しているから、両者は共に以下の点で一致し、また相違している。
一致点：
「複数の点灯手段を配設し、前記点灯手段が予め設定の点灯状態になると、遊技者にとって有利な状態を生起するパチンコ機であって、前記複数の点灯手段の外周であって、且つ、それら複数の点灯手段に対応して、点灯手段の大きさに比して遊技者が認識できる大きな絵柄が描かれてある、パチンコ機」
相違点：
a．点灯手段と絵柄とが、本願発明においてはそれぞれ遊技盤に配設され、描かれてあるのに対して、引用発明１においては発光ダイオード（点灯手段）と識別情報（絵柄）とからなる回動点滅表示装置を前面パネル（遊技盤）に配設、すなわち、発光ダイオード（点灯手段）と識別情報（絵柄）とが回動点滅表示装置としてユニット化された状態で前面パネル（遊技盤）に配設されている点、
ｂ．遊技者にとって有利な状態が、本願発明においては「遊技者にとって有利となる特別遊技状態」であるのに対して、引用発明１においては「ヤクモノ」が「開成制御」された状態であって、「特別遊技状態」であるとは刊行物１には記載されていない点、
c．「絵柄」の大きさが、本願発明においては点灯手段の大きさに比して遊技者が認識できる極めて大きな絵柄であるのに対して、引用発明１においては点灯手段の大きさに比して遊技者が認識できる大きな絵柄ではあるが、「極めて大きな絵柄」であるとは刊行物１には記載されていない点。
d．「複数の点灯手段」が、本願発明においては「順次、点灯消滅をしながら進行する点灯手段が再スタート点灯手段で停止すると、再度、点灯手段が点灯消滅を繰返しながら進行する」、「再スタート点灯手段」を含むのに対して、引用発明１においては上記「再スタート点灯手段」に対応するものを含まない点。
　　　　　　　　　　　　　　　　　　　　　　　　　　　　　　　　　
５．当審の判断
　上記相違点について検討する。
　まず、ａ．の相違点に関して検討する。本願発明の絵柄は複数の点灯手段とユニット化されることなく遊技盤側に描かれているものである。ところで、パチンコ機において、複数の点灯手段である「ランプ７」の各々を絵柄である「表示６」と対応づけて、点灯内容が把握できるように、複数の点灯手段（ランプ７）と絵柄（表示６）とを単に（特にユニット化することなく）併設することは、刊行物２に記載されている。そして、引用発明１において絵柄が点灯手段とユニット化されていなければ遊技ができないわけではないから、その絵柄を遊技盤側に描くことは、刊行物２の上記記載事項から当業者が容易に成し得た設計の変更にすぎない。
　次にｂ．の相違点に関して検討する。パチンコ機において、遊技者にとって有利な状態として特別遊技状態を生起させることはきわめて周知の事項である（必要あれば、例えば刊行物３に記載されている「特別利益遊技」が相当する）。そして、引用発明１において遊技者にとって有利な状態である、「ヤクモノ」を「開成」した状態を特別遊技状態とすることは単に周知の技術を付加したにすぎない。
　またc．の相違点に関して検討する。引用発明１においても識別情報が点灯手段の大きさに比して大きいように、点灯手段は単に光の点滅を認識できる程度の大きさでよいのに対して、識別情報はその情報を読取らなければならず、大きい方がよいことは明らかあるから、識別情報を遊技盤に描くときに、点灯手段に比して、「極めて大きな」と表現できる程度を含めて大きく描くことは当業者が必要に応じてなし得る設計的事項にすぎない。
　さらにd．の相違点に関して検討する。絵柄表示部に表示された複数の絵柄をゲームのスタート操作により変更させると共に、ストップ操作により変更を停止させ、停止した絵柄の種類により入賞の当否を決定する遊技機において、絵柄が予め定めた絵柄で停止したときに絵柄の変更を再スタートさせることはきわめて周知（必要あれば、下記の周知例１ないし周知例４に記載されている「再スタート」または「再ゲーム」が相当する）である。ここで引用発明１も、回動点滅表示灯に含まれる各発光ダイオードを順次点滅表示させることによって点灯している発光ダイオードに対応する識別情報を順次変更するものであり、識別情報の変更を停止する態様として上記周知技術における「再スタート」または「再ゲーム」の手段を付加した点に格別な技術的意義は認められない。
　　周知例１：特開平２−６８０８７号公報　　　　　　　　　　　　　
　　周知例２：実願平３−４５６５２号（実開平４−１２８７８１号）の願　　　　　　　書に添付した明細書及び図面の内容を撮影したマイクロフィ　　　　　　　ルム　　　　　　　　　　　　　　　　　　　　　　　　
　　周知例３：実願平３−４６９０９号（実開平４−１３１２８２号）の願　　　　　　　書に添付した明細書及び図面の内容を撮影したマイクロフィ　　　　　　　ルム
　　周知例４：特開平６−１１４１４２号公報
　しかもａ．ないしd．の相違点を備えた本願発明の効果に、容易に予測できる以上の格別のものがあるとも認められない。
　以上を総合すると、本願発明は引用発明１及び刊行物２に記載の発明に基き、また刊行物３及び周知例１ないし周知例４に例示される周知技術を付加することにより当業者が容易に発明をすることができたものであり、特許法第２９条第２項の規定により特許を受けることができない。
　　　　　　　　　　　　　　　　　　　　　　　　　　　　　　　　　
６．むすび
　したがって、本願は、当審で通知した上記拒絶の理由によって拒絶すべきものである。
　よって、結論のとおり審決する。